(57)【特許請求の範囲】
【請求項１】
刈払機本体のフレーム支持部から操作杆が延出され、前記操作杆の基端部近傍で前記フレーム支持部に防護カバーが取り付けられた刈払機の防護カバー取付構造体であって、
前記操作杆が貫通可能なプレート貫通穴を有するプレート部材と、
前記プレート部材に設けられ、前記防護カバーの位置調整穴および前記フレーム支持部の支え穴部に差込み可能な嵌合ピンと、
前記嵌合ピンを前記位置調整穴および前記支え穴部に差し込んだ状態で、前記プレート部材のプレート貫通穴が嵌入可能で、かつ、前記フレーム支持部に設けられた雄ねじ部と、
前記雄ねじ部にねじ結合可能で、かつ、前記操作杆に嵌合可能なナット部材と、
を備え、
前記ナット部材を前記雄ねじ部にねじ結合することで前記防護カバーおよび前記プレート部材を前記フレーム支持部に取り付けることを特徴とする刈払機の防護カバー取付構造体。
【請求項２】
前記防護カバーは、
前記操作杆が貫通可能な長穴を備えたことを特徴とする請求項１記載の刈払機の防護カバー取付構造体。
【発明の詳細な説明】
【技術分野】
【０００１】
本発明は、刈払機本体から操作杆が延出されるとともに、この刈払機本体に刈刃が回転自在に設けられ、この刈刃を覆う防護カバーが設けられた刈払機の防護カバー取付構造体に関する。
【背景技術】
【０００２】
刈払機は、雑草を刈る際の用途に応じて刈刃（例えば、ロータリ刃や糸刃など）が交換可能で、かつ、交換した刈刃の後上方を覆うように保護カバーの取付位置を変更可能に構成されている。
刈払機の防護カバー取付構造体として、例えば、保護カバーを支持するカバー支持部材に長孔を形成し、カバー支持部材に保護カバーを重ね、保護カバーの取付孔からボルトを長孔に差し込み、長孔から突出したねじ部をナットにねじ結合することによりカバー支持部材で保護カバーを支持するように構成したものが知られている。
【０００３】
この防護カバー取付構造体によれば、ロータリ刃や糸刃を交換する際に、ボルトを緩めて、緩めたボルトを長孔に沿って移動させることで、交換したロータリ刃や糸刃に合わせて保護カバーの取付位置を変更することが可能である（例えば、特許文献１参照。）。
【先行技術文献】
【特許文献】
【０００４】
【特許文献１】特開平９−２０５８４３号公報
【発明の概要】
【発明が解決しようとする課題】
【０００５】
しかし、特許文献１の刈払機は、保護カバーの取付位置を変更するためにボルトを緩めた際に、緩めたボルトがナットから外れることが考えられる。
ボルトがナットから外れることで、ナットから外れたボルト（すなわち、取付部材）が保護カバーの取付孔から脱落して紛失する虞がある。
【０００６】
本発明は、保護カバーの取付位置を変更する際に、取付部材が脱落して紛失することを防止できる刈払機の防護カバー取付構造体を提供することを課題とする。
【課題を解決するための手段】
【０００７】
請求項１に係る発明は、刈払機本体のフレーム支持部から操作杆が延出され、前記操作杆の基端部近傍で前記フレーム支持部に防護カバーが取り付けられた刈払機の防護カバー取付構造体であって、前記操作杆が貫通可能なプレート貫通穴を有するプレート部材と、前記プレート部材に設けられ、前記防護カバーの位置調整穴および前記フレーム支持部の支え穴部に差込み可能な嵌合ピンと、前記嵌合ピンを前記位置調整穴および前記支え穴部に差し込んだ状態で、前記プレート部材のプレート貫通穴が嵌入可能で、かつ、前記フレーム支持部に設けられた雄ねじ部と、前記雄ねじ部にねじ結合可能で、かつ、前記操作杆に嵌合可能なナット部材と、を備え、前記ナット部材を前記雄ねじ部にねじ結合することで前記防護カバーおよび前記プレート部材を前記フレーム支持部に取り付けることを特徴とする。
【０００８】
請求項２は、前記防護カバーは、前記操作杆が貫通可能な長穴を備えたことを特徴とする。
【発明の効果】
【０００９】
請求項１に係る発明では、プレート部材にプレート貫通穴を形成するとともに嵌合ピンを設けた。さらに、防護カバーに位置調整穴を設け、かつ、フレーム支持部に支え穴部を設けた。
そして、位置調整穴および支え穴部に嵌合ピンを差し込んだ状態で、プレート貫通穴が雄ねじ部に嵌入可能とした。よって、フレーム支持部にプレート部材を介して防護カバーを位置決めすることができる。
この状態で、雄ねじ部にナット部材をねじ結合することで、防護カバーを位置決めした状態でフレーム支持部に取り付けることができる。
【００１０】
また、位置調整穴および支え穴部に嵌合ピンを差し込んだ状態で、雄ねじ部にナット部材をねじ結合するだけの簡単な作業で防護カバーをフレーム支持部に取り付けることができる。
これにより、防護カバーを取り付ける際や、取り外す際の作業性を高めることができ、かつ、嵌合ピンやナット部材を備えるだけの簡単な構成とすることができる。
【００１１】
さらに、防護カバーの位置調整穴を複数パターン用意することで、それぞれのパターンの位置調整穴に嵌合ピンを差し込むことで、フレーム支持部に対する防護カバーの位置を変更することが可能である。
このように、フレーム支持部に対する防護カバーの位置を変更することで、刈刃の種類を変更した場合に、変更した刈刃に合わせて防護カバーの取付位置を調整することが可能である。
【００１２】
加えて、ナット部材を操作杆（操作フレーム）に嵌合させた。よって、ナット部材を雄ねじ部から外した際に、ナット部材を操作杆に連結させた状態に保つことができる。
これにより、保護カバーの取付位置を変更する際に、ナット部材（すなわち、取付部材）が脱落して紛失することを防止できる。
【００１３】
請求項２に係る発明では、防護カバーに長穴を備え、長穴に操作杆を貫通可能とした。よって、操作杆に長穴を嵌め込むことで、防護カバーをフレーム支持部から外した際に、防護カバーを操作杆に連結させた状態に保つことができる。
これにより、保護カバーの取付位置を変更する際に、防護カバーが脱落することを防止できる。
さらに、防護カバーに長穴を備えることで、フレーム支持部に沿って長穴を長軸方向に移動することができ、防護カバーの取付位置を調整することができる。
【図面の簡単な説明】
【００１４】
【図１】本発明に係る刈払機を示す側面図である。
【図２】図１の刈払機にロータリ刃を備えた防護カバー取付構造体を示す斜視図である。
【図３】図２の３矢視図である。
【図４】図３の防護カバー取付構造体を示す分解斜視図である。
【図５】図４の防護カバー取付構造体のうち雄ねじ部を現す位置で破断した断面図である。
【図６】図３の６−６線断面図である。
【図７】図４の防護カバー取付構造体のうち嵌合ピンを現す位置で破断した断面図である。
【図８】図７の防護カバー取付構造体を組み付けた状態を示す断面図である。
【図９】本発明に係る防護カバーを誤った位置に組み付ける例を説明する分解斜視図である。
【図１０】本発明に係る防護カバーを誤った位置に組み付けることを防止する例を説明する断面図である。
【図１１】本発明に係る刈払機に糸刃を備えた防護カバー取付構造体を示す分解斜視図である。
【図１２】図１１の防護カバー取付構造体を示す断面図である。
【図１３】図１２の防護カバー取付構造体を組み付けた状態を示す断面図である。
【発明を実施するための形態】
【００１５】
本発明を実施するための最良の形態を添付図に基づいて以下に説明する。なお、「前（Ｆｒ）」および「後（Ｒｒ）」は操作者から見た方向にしたがう。
【実施例】
【００１６】
実施例に係る刈払機の防護カバー取付構造体（以下、「防護カバー取付構造体」と略記する）２０について説明する。
図１に示すように、刈払機１０は、刈払機本体１１に設けられた刈刃１３と、刈払機本体１１のフレーム支持部１２（図２も参照）から延出された操作杆（操作フレーム）１７と、操作杆１７の基端部１７ａ近傍においてフレーム支持部１２に設けられた防護カバー取付構造体２０とを備えている。
【００１７】
さらに、刈払機１０は、操作杆１７の先端部１７ｂに設けられたエンジン２２と、エンジン２２の回転を刈刃１３に伝えるために操作杆１７に内通された駆動軸２３と、操作杆１７の先端部１７ｂ近傍に設けられた掛け部２４と、操作杆１７の略中央に設けられたハンドル２５とを備えている。
【００１８】
この刈払機１０を用いて雑草２７を刈る際には、作業者２８の上半身２８ａに肩掛け用ベルト２９を掛け、肩掛け用ベルト２９に掛け部２４を掛けて上半身２８ａで刈払機１０を支える。
この状態で、エンジン２２で刈刃１３を回転させた後、左右のグリップ２５ａを手で握って操作杆１７を前後左右に振りながら刈刃１３で雑草２７を刈ることができる。
【００１９】
ここで、刈払機１０は、その用途に応じて刈刃１３がロータリ刃１４（図２参照）や糸刃（ナイロン刃）１５（図１２参照）などに交換可能に構成されている。
また、防護カバー取付構造体２０は、刈刃１３をロータリ刃１４や糸刃１５などに交換した際に、交換したロータリ刃１４や糸刃１５などの後上方を覆うように防護カバー４１の取付位置を変更可能に構成されている。
【００２０】
以下、防護カバー取付構造体２０の構成について詳しく説明する。
まず、刈払機１０に刈刃１３としてロータリ刃１４を取り付けた例を図２〜図８に基づいて説明する。
図２〜図４に示すように、フレーム支持部１２は、フレーム支持部１２から後方に向けて上り勾配に中空の雄ねじ部４７が延出され、雄ねじ部４７の中空部に操作杆１７の基端部１７ａが設けられている。
さらに、フレーム支持部１２は、操作杆１７の周囲に左右の上支え穴部（支え穴部）３３，３４が形成されるとともに左右の下支え穴部（支え穴部）３５，３６（右下支え穴部３６は図９参照）が形成されている。
【００２１】
防護カバー取付構造体２０は、刈刃１３（ロータリ刃１４）の後上方を覆う防護カバー４１と、防護カバー４１を位置決めするプレート部材４２と、プレート部材４２を位置決めする第１〜第４の嵌合ピン（嵌合ピン）４３〜４６と、フレーム支持部１２に設けられてプレート部材４２を貫通する雄ねじ部４７と、雄ねじ部４７にねじ結合するナット部材（すなわち、取付部材）４８とを備えている。
ナット部材４８およびプレート部材４２間にはワッシャ４９が介在される。
さらに、防護カバー取付構造体２０は、ナット部材４８がねじ結合可能なフレーム支持部１２を備えている。フレーム支持部１２は、左右の上支え穴部３３，３４および左右の下支え穴部３５，３６を有する。
【００２２】
防護カバー４１は、ロータリ刃１４の後上方を覆うカバー本体５１と、カバー本体５１の前端部５１ａ（図５も参照）から上方に立ち上げられたカバー取付部５２とを備えている。
カバー取付部５２は、上下方向に延びる縦長の取付長穴部（長穴）５３が形成され、カバー取付部５２の左上端部から後方に左張出片（張出片）５４が張り出され（設けられ）、カバー取付部５２の上右端部から後方に右張出片５５（張出片）が張り出されている（設けられている）。
【００２３】
左張出片５４は取付長穴部５３の上左側に設けられ、右張出片５５は取付長穴部５３の上右側に設けられている。カバー取付部５２に左右の張出片５４，５５を設けることでプレート部材４２を誤った位置に取り付けることを阻止できる。
よって、プレート部材４２を所定の位置に取り付けることができ、防護カバー４１を正規の位置（所定の位置）に取り付けることができる。
左右の張出片５４，５５の役割については図９、図１０で詳しく説明する。
【００２４】
取付長穴部５３は、操作杆１７に嵌入可能で、かつ縦長状に形成されている。
よって、取付長穴部５３に操作杆１７を貫通させることができる。
この取付長穴部５３は、操作杆１７を取付長穴部５３の底部５３ａ側（すなわち、図４の状態）と、取付長穴部５３の頂部５３ｂ側（すなわち、図１１の状態）に配置可能に形成されている。
【００２５】
操作杆１７に取付長穴部５３を嵌め込むことで、防護カバー４１をフレーム支持部１２から外した際に、防護カバー４１を操作杆１７に連結させた状態に保つことができる。
これにより、保護カバー４１の取付位置を変更する際に、防護カバー４１が脱落することを防止できる。
【００２６】
さらに、取付長穴部５３を縦長状に形成することで、取付長穴部５３を上下方向（すなわち、長軸方向）に移動（変位）させることができ、防護カバー４１の取付位置を調整することができる。
具体的には、防護カバー４１の取付位置を、取付長穴部５３の底部５３ａ側の取付位置と取付長穴部５３の頂部５３ｂ側の取付位置とに調整することができる。
【００２７】
さらに、カバー取付部５２は、取付長穴部５３の上左右側に左右の上調整穴（位置調整穴）５７が一定間隔Ｓ１をおいて形成され、取付長穴部５３の中央左右側に左右の中央調整穴（位置調整穴）５８が一定間隔Ｓ１をおいて形成され、取付長穴部５３の下左右側に左右の下調整穴（位置調整穴）５９が一定間隔Ｓ１をおいて形成されている。
【００２８】
また、左上調整穴５７、左中央調整穴５８および左下調整穴５９が同一直線上に一定間隔Ｓ２をおいて配置されている。
さらに、右上調整穴５７、右中央調整穴５８および右下調整穴５９が同一直線上に一定間隔Ｓ２をおいて配置されている。
このように、カバー取付部５２には防護カバー４１の位置を調整可能な調整穴（左右の上調整穴５７、左右の中央調整穴５８および左右の下調整穴５９）が複数パターン用意されている。
【００２９】
プレート部材４２は、縦長のプレートで、上下方向の一方の辺（以下、「一辺」という）４２ａから上下方向の他方の辺（以下、「他辺」という）４２ｂまでの長さ寸法が、左右の辺４２ｃ間の長さ寸法より大きく形成された縦長の板材である。
このプレート部材４２は、一辺４２ａ側寄りの部位４２ｄにプレート貫通穴６２が形成され、プレート貫通穴６２の周囲に第１〜第４の取付穴６３〜６６（図７参照）が形成されている。
【００３０】
ここで、刈払機１０にロータリ刃１４を取り付ける際には、プレート貫通穴６２が下側に位置するようにプレート部材４２を配置する。
プレート部材４２を縦長の板材に形成することで、プレート部材４２をカバー取付部５２に取り付けた状態でカバー取付部５２の取付長穴部５３を覆うことができる。すなわち、取付長穴部５３を作業者から見えないようにプレート部材４２で隠すことができる。
【００３１】
プレート貫通穴６２は操作杆１７が貫通可能な円形の穴である。
よって、プレート貫通穴６２に操作杆１７を貫通させることで、操作杆１７にプレート部材４２を連結することができる。
これにより、ナット部材４８を緩めて防護カバー４１の取付位置を変更する際に、プレート部材４２が操作杆１７から脱落して紛失することを防止できる。
【００３２】
図４、図７に示すように、第１取付穴６３に第１嵌合ピン４３の基端部４３ａが嵌合された状態に固定されている（取り付けられている）。また、第２取付穴６４に第２嵌合ピン４４の基端部４４ａが嵌合された状態に固定されている（取り付けられている）。
さらに、第３取付穴６５に第３嵌合ピン４５の基端部４５ａが嵌合された状態に固定されている（取り付けられている）。加えて、第４取付穴６６に第４嵌合ピン４６の基端部４６ａが嵌合された状態に固定されている（取り付けられている）。
これにより、プレート部材４２で第１〜第４の嵌合ピン４３〜４６を一体化する（連結する）ことができる。
【００３３】
さらに、プレート貫通穴６２は操作杆１７が貫通可能に形成されている。
よって、プレート貫通穴６２に操作杆１７を貫通させることで、第１〜第４の嵌合ピン４３〜４６をプレート部材４２を介して操作杆１７に連結させることができる。
これにより、ナット部材４８を緩めて防護カバー４１の取付位置を変更する際に、第１〜第４の嵌合ピン４３〜４６が操作杆１７から脱落して紛失することを防止できる。
【００３４】
このように、第１〜第４の取付穴６３〜６６に第１〜第４の嵌合ピン４３〜４６の基端部４３ａ〜４６ａが固定された状態において、第１、第２の嵌合ピン４３，４４が左右方向に一定間隔Ｓ１をおいて形成されるとともに、第３、第４の嵌合ピン４５，５６が左右方向に一定間隔Ｓ１をおいて形成されている。
また、第１、第３の嵌合ピン４３，４５が上下方向に一定間隔Ｓ２をおいて配置され、第２、第４の嵌合ピン４４，４６が上下方向に一定間隔Ｓ２をおいて配置されている。
【００３５】
ここで、前述したように、カバー取付部５２には防護カバー４１の位置を調整可能な調整穴（左右の上調整穴５７、左右の中央調整穴５８および左右の下調整穴５９）が複数パターン用意されている。
よって、それぞれのパターンの調整穴（左右の上調整穴５７、左右の中央調整穴５８および左右の下調整穴５９）に、後述する第１〜第４の嵌合ピン４３〜４６を差し込むことで、フレーム支持部１２に対する防護カバー４１の位置を変更（調整）することが可能である。
このように、フレーム支持部１２に対する防護カバー４１の位置を変更（調整）することで、刈刃１３の種類（ロータリ刃１４や糸刃１５など）を変更した場合に、変更した刈刃１３に合わせて防護カバー４１の取付位置を調整することが可能である。
【００３６】
図５、図６に示すように、雄ねじ部４７は、フレーム支持部１２から後方に向けて上り勾配に延出された中空のねじ部で、雄ねじ部４７の中空部に操作杆１７の基端部１７ａが貫通された状態に設けられている。
この雄ねじ部４７は、カバー取付部５２の取付長穴部５３に貫通可能で、かつ、プレート部材４２のプレート貫通穴６２に貫通可能に形成されている。
プレート貫通穴６２から貫通した雄ねじ部４７にナット部材４８がねじ結合される。
【００３７】
ナット部材４８は、雌ねじ部（以下、「ねじ孔」という）４８ａが軸線方向に貫通した状態で形成されている。
ねじ孔４８ａは、雄ねじ部４７にねじ結合可能で、操作杆１７が貫通可能に形成されている。ねじ孔４８ａに操作杆１７を貫通させることで、ナット部材４８を操作杆１７に連結させることができる。
【００３８】
よって、防護カバー４１の取付位置を変更するために、ナット部材４８を緩めて雄ねじ部４７から外した際に、ナット部材４８を操作杆１７に連結させた状態に保つことができる。
これにより、防護カバー４１の取付位置を変更する際に、ナット部材４８が操作杆１７から脱落して紛失することを防止できる。
【００３９】
ここで、ナット部材４８で防護カバー４１を組み付ける例を説明する。
図４に示すように、刈払機１０にロータリ刃１４を取り付ける際には、プレート貫通穴６２が下側に位置するようにプレート部材４２を配置する。
そして、図４、図７に示すように、第１嵌合ピン４３をカバー取付部５２の左中央調整穴５８に貫通させた後、左上支え穴部３３に差し込む。
また、第２嵌合ピン４４をカバー取付部５２の右中央調整穴５８に貫通させた後、右上支え穴部３４に差し込む。
【００４０】
さらに、第３嵌合ピン４５をカバー取付部５２の左下調整穴５９に貫通させた後、左下支え穴部３５に差し込む。
加えて、第４嵌合ピン４６をカバー取付部５２の右下調整穴５９に貫通させた後、右下支え穴部３６に差し込む。
【００４１】
図８に示すように、フレーム支持部１２にカバー取付部５２が重ね合わされ、カバー取付部５２にプレート部材４２が重ね合わされる。
図６に示すように、フレーム支持部１２にカバー取付部５２およびプレート部材４２が重ね合わされることで、雄ねじ部４７にカバー取付部５２の取付長穴部５３が嵌合されるとともに、プレート部材４２のプレート貫通穴６２が嵌合される。
よって、フレーム支持部１２にカバー取付部５２を介してプレート部材４２を位置決めすることができ、さらに、プレート部材４２を介して防護カバー４１を位置決めすることができる。
【００４２】
よって、雄ねじ部４７がプレート貫通穴６２から後方に突出する。プレート貫通穴６２（プレート部材４２）から突出した雄ねじ部４７にナット部材４８のねじ孔４８ａをねじ結合する（締め付ける）。
これにより、防護カバー４１のカバー取付部５２にプレート部材４２を重ね合わせた状態で、カバー取付部５２およびプレート部材４２をフレーム支持部１２に取り付ける（固定する）ことができる。
具体的には、カバー取付部５２およびプレート部材４２は、フレーム支持部１２のうち、操作杆１７の基端部１７ａ近傍の部位１２ａに取り付けられる（固定される）。
【００４３】
この状態で、プレート部材４２の他辺４２ｂが左右の張出片５４，５５の下方に位置して左右の張出片５４，５５に干渉しない。
このように、プレート部材４２の他辺４２ｂが左右の張出片５４，５５に干渉しないことで、プレート部材４２が所定の位置、すなわちプレート貫通穴６２が下側に配置された位置に取り付けられる（図４、図６参照）。
【００４４】
よって、図６に示すように、プレート貫通穴６２が取付長穴部５３の底部５３ａ側に配置され、プレート貫通穴６２に貫通された操作杆１７が取付長穴部５３の底部５３ａ側に保持される。
これにより、図２、図５に示すように、防護カバー４１をプレート部材４２でロータリ刃１４に合わせた正規の位置に取り付けることができる。
ここで、プレート部材４２をカバー取付部５２に取り付けた状態でカバー取付部５２の取付長穴部５３を覆うことで、図３に示すように、取付長穴部５３を作業者から見えないように隠すことができる。
【００４５】
さらに、カバー取付部５２の調整穴５７，５８，５９（左右の上調整穴５７、左右の中央調整穴５８および左右の下調整穴５９）やフレーム支持部１２の支え穴部３３〜３６（左右の上支え穴部３３，３４および左右の下支え穴部３５，３６）に第１〜第４の嵌合ピン４３〜４６を差し込むだけで防護カバー４１を簡単に位置決めできる。
【００４６】
加えて、第１〜第４の嵌合ピン４３〜４６を差し込んで防護カバー４１を位置決めした後、雄ねじ部４７にナット部材４８をねじ結合するだけの簡単な作業で防護カバー４１をフレーム支持部１２に取り付けることができる。
これにより、防護カバー４１を取り付ける際や、取り外す際の作業性を高めることができ、かつ、第１〜第４の嵌合ピン４３〜４６やナット部材４８を備えるだけの簡単な構成とすることができる。
【００４７】
つぎに、防護カバー４１を誤った位置に組み付けることを防ぐ例を図９、図１０に基づいて説明する。
図９に示すように、操作杆１７の基端部１７ａ（図１０参照）やプレート貫通穴６２を取付長穴部５３の頂部５３ｂ側に配置した状態で、第１、第２の嵌合ピン４３，４４を左右の上調整穴５７に誤って貫通し、第３、第４の嵌合ピン４５，４６を左右の中央調整穴５８に誤って貫通することが考えられる。
この場合、防護カバー４１が誤った位置（すなわち、ロータリ刃１４（図２参照）に対応しない位置）に組み付けられることになり、この対策が望まれていた。
防護カバー４１を誤った位置に組み付けた場合、例えば、プレート部材４２でカバー取付部５２の取付長穴部５３を覆うことができないなどの不具合が生じる。
【００４８】
そこで、本実施例において、カバー取付部５２の上左端部から後方に左張出片５４を張り出し、取付長穴部５３の上右端部から後方に右張出片５５を張り出した。
よって、プレート貫通穴６２を取付長穴部５３の頂部５３ｂ側に配置するようにプレート部材４２を配置した場合、図１０に示すように、プレート部材４２が左右の張出片５４，５５に当接する。
【００４９】
プレート部材４２が左右の張出片５４，５５に当接することで、プレート部材４２をカバー取付部５２に対して所定間隔だけ浮いた状態（離れた状態）に保つことができる。
プレート部材４２をカバー取付部５２に対して離れた状態に保つことで、第１、第２の嵌合ピン４３，４４を左右の上支え穴部３３，３４から離した状態に配置でき、かつ、第３、第４の嵌合ピン４５，４６を左右の下支え穴部３５，３６から離した状態に配置できる。
これにより、第１〜第４の嵌合ピン４３〜４６を左右の上支え穴部３３，３４や左右の下支え穴部３５，３６に差し込むことを防止できる。
【００５０】
すなわち、カバー取付部５２に左右の張出片５４，５５を設けることで、プレート部材４２を誤った位置に取り付けることを容易に確認することができ、プレート部材４２を所定の位置に簡単に取り付けることができる。
プレート部材４２を所定の位置に取り付けることで、プレート部材４２で防護カバー４１を正規の位置（図２、図４に示す位置）に取り付けることができる。
これにより、図２、図４に示すように、ロータリ刃１４に合わせて防護カバー４１を正規の位置に簡単に取り付けることができるので、刈払機１０の使い勝手の向上を図ることができる。
【００５１】
ついで、刈払機１０に刈刃１３として糸刃１５を取り付けた例を図１１〜図１３に基づいて説明する。
図１１に示すように、刈払機１０に糸刃１５を取り付ける際には、プレート貫通穴６２が上側に位置するようにプレート部材４２を配置する。
【００５２】
図１１、図１２に示すように、第４嵌合ピン４６をカバー取付部５２の左上調整穴５７に貫通し、左上調整穴５７を貫通した第４嵌合ピン４６を左上支え穴部３３に差し込む。
また、第３嵌合ピン４５をカバー取付部５２の右上調整穴５７に貫通し、右上調整穴５７を貫通した第３嵌合ピン４５を右上支え穴部３４に差し込む。
【００５３】
さらに、第２嵌合ピン４４をカバー取付部５２の左中央調整穴５８に貫通し、左中央調整穴５８を貫通した第２嵌合ピン４４を左下支え穴部３５に差し込む。
加えて、第１嵌合ピン４３をカバー取付部５２の右中央調整穴５８に貫通し、右中央調整穴５８を貫通した第１嵌合ピン４３を右下支え穴部３６に差し込む。
【００５４】
図１３に示すように、フレーム支持部１２にカバー取付部５２が重ね合わされ、カバー取付部５２にプレート部材４２が重ね合わされる。
フレーム支持部１２にカバー取付部５２およびプレート部材４２が重ね合わされることで、雄ねじ部４７にカバー取付部５２の取付長穴部５３（図１１参照）が嵌合されるとともに、プレート部材４２のプレート貫通穴６２（図１１参照）が嵌合される。
よって、雄ねじ部４７がプレート貫通穴６２から後方に突出する。プレート貫通穴６２（プレート部材４２）から突出した雄ねじ部４７にナット部材４８のねじ孔４８ａ（図６参照）をねじ結合する（締め付ける）。
よって、防護カバー４１のカバー取付部５２にプレート部材４２を重ね合わせた状態で、カバー取付部５２およびプレート部材４２をフレーム支持部１２に取り付ける（固定する）ことができる。
具体的には、カバー取付部５２およびプレート部材４２は、フレーム支持部１２のうち、操作杆１７の基端部１７ａ近傍の部位１２ａに取り付けられる（固定される）。
【００５５】
この状態で、プレート部材４２の一辺４２ａが左右の張出片５４，５５の下方に位置して左右の張出片５４，５５に干渉しない。
このように、プレート部材４２の一辺４２ａが左右の張出片５４，５５に干渉しないことで、プレート部材４２が所定の位置、すなわちプレート貫通穴６２が上側に配置された位置に取り付けられる（図１１、図１２参照）。
【００５６】
よって、図１１に示すように、プレート貫通穴６２が取付長穴部５３の頂部５３ｂ側に配置され、プレート貫通穴６２に貫通された操作杆１７が取付長穴部５３の頂部５３ｂ側に保持される。
これにより、図１２に示すように、防護カバー４１をプレート部材４２で糸刃１５に合わせた正規の位置に取り付けることができる。
なお、プレート部材４２をカバー取付部５２に取り付けた状態でカバー取付部５２の取付長穴部５３を覆うことで、取付長穴部５３を作業者から見えないように隠すことができる。
【００５７】
なお、本発明に係る刈払機の防護カバー取付構造体２０は、前述した実施例に限定されるものではなく適宜変更、改良などが可能である。
例えば、前記実施例では、カバー取付部５２に左右の張出片５４，５５を設けた例について説明したが、これに限らないで、カバー取付部５２に左右の張出片５４，５５を設けないようにすることも可能である。
【００５８】
また、前記実施例では、嵌合ピンとして第１〜第４の嵌合ピン４３〜４６を４本備えた例について説明したが、これに限定するものではなく、嵌合ピンの本数を３本などの他の本数に変更することも可能である。
【００５９】
さらに、前記実施例では、カバー取付部５２に縦長の取付長穴部５３を設けた例について説明したが、これに限らないで、例えば、取付長穴部５３に変えて縦長の取付溝部（すなわち、取付長穴部５３の上部を開口させた溝部）などを設けることも可能である。
【００６０】
また、前記実施例で示した刈払機１０、刈払機本体１１、刈刃１３、ロータリ刃１４、糸刃１５、操作杆１７、左右の上支え穴部３３，３４、左右の下支え穴部３５，３６、防護カバー４１、プレート部材４２、第１〜第４の嵌合ピン４３〜４６、雄ねじ部４７、ナット部材４８、取付長穴部５３、左右の上調整穴５７、左右の中央調整穴５８、左右の下調整穴５９およびプレート貫通穴６２などの形状や構成は例示したものに限定するものではなく適宜変更が可能である。
【産業上の利用可能性】
【００６１】
本発明は、刈払機本体に操作杆が設けられるとともに刈刃が回転自在に設けられ、この刈刃を覆う防護カバーの取付構造体を備えた刈払機への適用に好適である。
【符号の説明】
【００６２】
１０…刈払機、１１…刈払機本体、１２…フレーム支持部、１３…刈刃、１４…ロータリ刃、１５…糸刃、１７…操作杆、１７ａ…操作杆の基端部、２０…刈払機の防護カバー取付構造体、３３，３４…左右の上支え穴部（支え穴部）、３５，３６…左右の下支え穴部（支え穴部）、４１…防護カバー、４２…プレート部材、４３〜４６…第１〜第４の嵌合ピン（嵌合ピン）、４７…雄ねじ部、４８…ナット部材（取付部材）、５３…取付長穴部（長穴）、５７…左右の上調整穴（位置調整穴）、５８…左右の中央調整穴（位置調整穴）、５９…左右の下調整穴（位置調整穴）、６２…プレート貫通穴。
【図１】
0005478305.tif 000002
【図２】
0005478305.tif 000003
【図３】
0005478305.tif 000004
【図４】
0005478305.tif 000005
【図５】
0005478305.tif 000006
【図６】
0005478305.tif 000007
【図７】
0005478305.tif 000008
【図８】
0005478305.tif 000009
【図９】
0005478305.tif 000010
【図１０】
0005478305.tif 000011
【図１１】
0005478305.tif 000012
【図１２】
0005478305.tif 000013
【図１３】
0005478305.tif 000014